(57)【特許請求の範囲】
【請求項１】
床面を照射するために壁に埋め込まれる照明器具本体を備えたフットライトにおいて、
前記照明器具本体の前面開口部に固定され、防水機能を有した防水ユニットと、
前記防水ユニットを覆うように、前記防水ユニットに係止される化粧カバーと、を備え、
前記防水ユニットは、光を透過させるための開口部を有する防水カバーを備え、
前記防水カバーの縁部には、前記化粧カバーを係止するための係止用ネジ穴が形成され、
前記化粧カバーは、前記防水カバーの開口部に対応するように形成された開口部と、該開口部の上側にあって前記壁と略平行になるように形成された上部化粧面と、前記上部化粧面の下辺両端部から該化粧カバーの開口部側に延伸された係止面と、を備え、
前記係止面には、前記防水カバーの前記係止用ネジ穴に対応するように形成されたネジ穴が設けられ、
前記化粧カバーは、係止ネジが前記係止用ネジ穴及び前記ネジ穴にネジ止めされることにより、前記防水ユニットに係止されることを特徴とするフットライト。
【請求項２】
前記防水ユニットと化粧カバーとは隔離して配置されることを特徴とする請求項１に記載のフットライト。
【発明の詳細な説明】
【技術分野】
【０００１】
本発明は、床面を照射するため壁面の下部に埋め込まれるフットライトに関する。
【背景技術】
【０００２】
従来から、壁面の下部に埋め込まれ、床面や地面等に光を照射することにより歩行者の足元を明るくする、いわゆるフットライトと呼ばれる照明器具が知られている（例えば、特許文献１参照）。フットライトは、一般に、壁に埋め込まれる筐体と、この筐体に収納される光源と、光源からの光の出射方向に配置される透光性パネルと、この透光性パネルを筐体に固定する前面枠とを備える。
【０００３】
この種のフットライトは、屋内の廊下等だけでなく、屋外のポーチ等にも用いられる。そのため、器具内に雨水等が浸入しないように、所定の防水機能を有する必要があり、通常、前面枠と透光性パネルとの間は、防水パッキン等によって密閉され、前面枠は複数のネジによって筐体に隙間無く固定される。
【特許文献１】特開平９−１０２２０７号公報
【発明の開示】
【発明が解決しようとする課題】
【０００４】
しかしながら、上記特許文献１に示されるようなフットライトにおいて、前面枠は、光源を交換する際に取り外しできるように、フットパネルの前面からネジが差込まれることによって筐体に固定される。そのため、複数のネジが外側に露出して視認され、外観上見苦しいものとなっていた。
【０００５】
本発明は、上記課題を解決するものであり、防水機能を確保し、しかも外側から視認されるネジの本数が少なく、外観上見栄えの良いフットライトを提供することを目的とする。
【課題を解決するための手段】
【０００６】
上記課題を解決するため、請求項１の発明は、床面を照射するために壁に埋め込まれる照明器具本体を備えたフットライトにおいて、前記照明器具本体の前面開口部に固定され、防水機能を有した防水ユニットと、前記防水ユニットを覆うように、前記防水ユニットに係止される化粧カバーと、を備え、前記防水ユニットは、光を透過させるための開口部を有する防水カバーを備え、前記防水カバーの縁部には、前記化粧カバーを係止するための係止用ネジ穴が形成され、前記化粧カバーは、前記防水カバーの開口部に対応するように形成された開口部と、該開口部の上側にあって前記壁と略平行になるように形成された上部化粧面と、前記上部化粧面の下辺両端部から該化粧カバーの開口部側に延伸された係止面と、を備え、前記係止面には、前記防水カバーの前記係止用ネジ穴に対応するように形成されたネジ穴が設けられ、前記化粧カバーは、係止ネジが前記係止用ネジ穴及び前記ネジ穴にネジ止めされることにより、前記防水ユニットに係止されるものである。
【０００７】
請求項２の発明は、請求項１に記載のフットライトにおいて、前記防水ユニットと化粧カバーとは隔離して配置されるものである。
【発明の効果】
【０００８】
請求項１の発明によれば、防水ユニットは化粧カバーにより覆われるので、多数のネジ等を用いて照明器具本体に固定されても歩行者等からは視認されず、また、化粧カバーは防水機能には関与しないので、化粧カバーの防水ユニットへの係止用のネジを減らすことができ、更に、歩行者の通常目線の高さから見え難い所に配置できる。従って、フットライトの外観を見栄えの良いものとすることができる。また、ネジが見え難いものとすることができるので、いたずら防止にも繋がる。
【０００９】
請求項２の発明によれば、防水ユニットと化粧カバーとの隙間から漏れ出す光を活用して、フットライトが設置された壁の周囲を明るくすることができるので、壁を照らす演出照明として用いることができる。また、防水ユニットと化粧カバーとの間が空気層となって、光源の熱が化粧カバーへ伝達され難くなるので、化粧カバーが高温にならず、歩行者が化粧カバーに触っても火傷をすることがなくなる。
【発明を実施するための最良の形態】
【００１０】
以下、本発明の一実施形態に係るフットライトについて、図１乃至図４を参照して説明する。本実施形態のフットライト１は、床面Ｆを照射するために、壁Ｗに埋め込まれる照明器具本体２を備える。また、フットライト１は、照明器具本体２の前面開口部２０に固定される防水機能を有した防水ユニット３と、この防水ユニット３を覆うように、防水ユニット３に係止される化粧カバー４とを備える。
【００１１】
照明器具本体２は、壁Ｗに形成された埋込穴Ｈに埋め込まれる筐体２１と、筐体２１内に収納される光源２２と、光源２２を筐体２１上部に固定すると共に、光源２２に電気を供給するソケット２３と、筐体２１の内側面に設けられて光源２２からの光を開口部２０の方へ反射させる反射鏡２４とを備える。前面開口部２０の縁部（筐体２１の前面側）には、防水ユニット３を固定するための複数のネジ穴２５が形成される。
【００１２】
防水ユニット３は、光を透過させるための開口部３０を有する防水カバー３１と、開口部３０に装着される透光ガラス３２と、透光ガラス３２と開口部３０との間の防水性を確保するため、これらの間を密閉する第１パッキン３３と、透光ガラス３２及び第１パッキン３３を防水カバー３１に固定するためのホルダ３４と、照明器具本体２と防水ユニット３と間の防水性を確保するため、これらの間を密閉する第２パッキン３５とを備える。透光ガラス３２は、第１パッキン３３を介して、防水カバー３１とホルダ３４によって挟持されることにより、開口部３０に装着される。なお、図２は、透光ガラス３２及びホルダ３４が、防水ユニット３ではなく、照明器具本体２内に取り付けられた構成を示す。また、図２では第１パッキン３３及び第２パッキン３５の図示を省略した。
【００１３】
防水カバー３１は、開口部３０の下側に、光源２２から照射面（床面Ｆ）へ向かう照射光の光軸Ｌａと略平行になるよう形成された傾斜面３６を備える。防水カバー３１の縁部には、照明器具本体２のネジ穴２５に対応した複数のネジ穴３７が形成される。また、防水カバー３１の縁部には、化粧カバー４を係止するための係止用ネジ穴３８も形成される。防水ユニット３は、第２パッキン３５を挟んで、防水ネジ３９が、ネジ穴３７及びネジ穴２５に固くネジ止めされることによって照明器具本体２に固定される。防水ネジ３９は、光源２２の取替えの際に防水ユニット３を取り外せるように、フットライト１の前面側から差し込まれる。
【００１４】
このように、透光ガラス３２と開口部３０との間、及び照明器具本体２と防水ユニット３と間が、夫々第１パッキン３３及び第２パッキン３５によって密閉され、各構成部材が固くネジ止めされることにより、防水ユニット３は、照明器具本体２に固定され、照明器具本体２内への雨水等の浸入を防ぐ防水機能が達成される。
【００１５】
化粧カバー４は、防水カバー３１の開口部３０に対応するよう形成された開口部４０と、開口部４０の上側にあって、壁Ｆと略平行になるよう形成された上部化粧面４１と、開口部４０の下側にあって、防水カバー３１の傾斜面３６と略平行に形成された下部化粧面４２と、上部化粧面４１の下辺両端部から開口部４０側に延伸された係止面４３とを備える。また、係止面４３には、防水カバー３１の係止用ネジ穴３８に対応するよう形成されたネジ穴４４が設けられる。化粧カバー４は、係止ネジ４５が、係止用ネジ穴３８及びネジ穴４４にネジ止めされることにより防水ユニット３に係止される。
【００１６】
このように、防水ユニット３は、化粧カバー４により覆われるので、多数の防水ネジ３９等を用いて照明器具本体２に固定されても、歩行者等からは視認されない。また、フットライト１の防水機能は、防水ユニット３によって達成され、化粧カバー４は、防水機能には関与しないので、化粧カバー４の防水ユニット３への係止ネジ４５の本数を減らすことができる。
【００１７】
また、係止ネジ４５が取り付けられる係止面４３（ネジ穴４４）は、上部化粧面４１よりも防水ユニット３側にあって、歩行者の通常目線の高さから見え難い所に配置できる。従って、フットライト１の外観を、見栄えの良いものとすることができる。また、ネジが見え難いものとすることができるので、いたずら防止にも繋がる。
【００１８】
好ましくは、防水ユニット３と化粧カバー４とは隔離して配置される。こうすれば、防水ユニット３と化粧カバー４との隙間から漏れ出す光Ｌｂを活用して、フットライト１が設置された壁Ｗの周囲を明るくすることができる。つまり、フットライト１は、床面Ｆに対して光を照射するだけでなく、壁Ｗを照らす演出用照明として用いることもできる。また、防水ユニット３と化粧カバー４との間が空気層となって、光源２２の熱が化粧カバー４へ伝達され難くなるので、化粧カバー４が高温にならず、歩行者が化粧カバー４に触っても火傷をすることがなくなる。
【００１９】
なお、本発明は、フットライトの前面に設けられる枠体を、防水用のもの及び意匠用のものに分けて設置することにより、視認されるネジの本数を少なくして、外観上の見栄えを良くしたものであれば、上述の実施形態で示した構成に限られない。また、フットライトに限られず、種々の埋め込み型照明器具に適用し得る。
【図面の簡単な説明】
【００２０】
【図１】本発明の一実施形態に係るフットライトの側断面図。
【図２】同フットライトの分解斜視図。
【図３】同フットライトの防水ユニットの正面図。
【図４】同フットライトの化粧カバーの正面図。
【符号の説明】
【００２１】
１    フットライト
２    照明器具本体
３    防水ユニット
４    化粧カバー
Ｆ    床面
Ｗ    壁
【図１】
0004934549.tif 000002
【図２】
0004934549.tif 000003
【図３】
0004934549.tif 000004
【図４】
0004934549.tif 000005